(57)【特許請求の範囲】
【請求項１】
Ｋ個（Ｋ：整数）の病名を含む病名の病を各々が患った複数の患者を対象としかつ前記Ｋ個の病名以外の病名を項目とする第１統計を前記複数の患者について作成された複数の読影レポートに基づいて表示する第１統計表示手段、
前記第１統計表示手段によって表示された第１統計上の所望の項目が操作者によって選択されたとき前記複数の読影レポートのうち前記所望の項目の病名と前記Ｋ個の病名とが各々に記載された読影レポートのリストを表示するレポートリスト表示手段、
前記レポートリスト表示手段によって表示されたリスト上の所望の読影レポートが前記操作者によって選択されたとき前記所望の読影レポートに記載された病名のリストを表示する病名リスト表示手段、および
前記病名リスト表示手段によって表示されたリスト上の所望の病名が前記操作者によって選択されたとき前記所望の病名を前記Ｋ個の病名の１つに指定して前記第１統計表示手段を再起動する再起動手段を備える、読影支援装置。
【請求項２】
前記Ｋ個の病名を含む病名を項目とする第２統計を前記複数の読影レポートに基づいて表示する第２統計表示手段、および
前記第２統計表示手段によって表示された第２統計上の所望の項目が前記操作者によって選択されたとき前記Ｋを第１の数値に設定して前記第１統計表示手段を起動する起動手段をさらに備える、請求項１記載の読影支援装置。
【請求項３】
前記再起動手段は前記Ｋが前記第１の数値を示すとき前記Ｋを前記第１の数値よりも大きい第２の数値に更新する、請求項２記載の読影支援装置。
【請求項４】
前記再起動手段は前記Ｋが前記第２の数値を示すとき前記Ｋ個の病名の組み合わせを更新する、請求項３記載の読影支援装置。
【請求項５】
前記起動手段は前記レポートリスト表示手段の処理に関連して前記操作者の操作を受け付ける受け付け手段を含む、請求項２ないし４のいずれかに記載の読影支援装置。
【請求項６】
前記所望の読影レポートにおける読影医の記述を前記病名リスト表示手段の処理に関連して表示する記述表示手段、および
前記記述表示手段によって表示された記述のうち前記Ｋ個の病名に関する記述を強調表示する強調表示手段をさらに備える、請求項１ないし５のいずれかに記載の読影支援装置。
【請求項７】
二重否定を含む肯定表現が続く病名を前記複数の読影レポートの各々における読影医の記述から検索する第１検索手段、
否定表現と異なる表現が続く病名を前記第１検索手段の処理に劣後して前記複数の読影レポートの各々における前記読影医の記述から検索する第２検索手段、および
前記第１検索手段および前記第２検索手段の各々によって検知された病名を前記Ｋ個の病名を含む病名の１つとして抽出する抽出手段をさらに備える、請求項１ないし６のいずれかに記載の読影支援装置。
【請求項８】
前記第１統計は前記Ｋ個の病名以外の病名毎に集計した患者数の統計である、請求項１ないし７のいずれかに記載の読影支援装置。
【請求項９】
読影支援装置に設けられたプロセッサによって実行される読影支援方法であって、
Ｋ個（Ｋ：整数）の病名を含む病名の病を各々が患った複数の患者を対象としかつ前記Ｋ個の病名以外の病名を項目とする第１統計を前記複数の患者について作成された複数の読影レポートに基づいて表示する第１統計表示ステップ、
前記第１統計表示ステップによって表示された第１統計上の所望の項目が操作者によって選択されたとき前記複数の読影レポートのうち前記所望の項目の病名と前記Ｋ個の病名とが各々に記載された読影レポートのリストを表示するレポートリスト表示ステップ、
前記レポートリスト表示ステップによって表示されたリスト上の所望の読影レポートが前記操作者によって選択されたとき前記所望の読影レポートに記載された病名のリストを表示する病名リスト表示ステップ、および
前記病名リスト表示ステップによって表示されたリスト上の所望の病名が前記操作者によって選択されたとき前記所望の病名を前記Ｋ個の病名の１つに指定して前記第１統計表示ステップを再起動する再起動ステップを備える、読影支援方法。
【請求項１０】
読影支援装置に設けられたプロセッサに、
Ｋ個（Ｋ：整数）の病名を含む病名の病を各々が患った複数の患者を対象としかつ前記Ｋ個の病名以外の病名を項目とする第１統計を前記複数の患者について作成された複数の読影レポートに基づいて表示する第１統計表示ステップ、
前記第１統計表示ステップによって表示された第１統計上の所望の項目が操作者によって選択されたとき前記複数の読影レポートのうち前記所望の項目の病名と前記Ｋ個の病名とが各々に記載された読影レポートのリストを表示するレポートリスト表示ステップ、
前記レポートリスト表示ステップによって表示されたリスト上の所望の読影レポートが前記操作者によって選択されたとき前記所望の読影レポートに記載された病名のリストを表示する病名リスト表示ステップ、および
前記病名リスト表示ステップによって表示されたリスト上の所望の病名が前記操作者によって選択されたとき前記所望の病名を前記Ｋ個の病名の１つに指定して前記第１統計表示ステップを再起動する再起動ステップを実行させるための、読影支援プログラム。
【発明の詳細な説明】
【技術分野】
【０００１】
この発明は、読影支援装置、読影支援方法および読影支援プログラムに関し、特に、複数の患者を対象とする複数の読影レポートを利用して各患者の症例の分析を支援する、読影支援装置、読影支援方法および読影支援プログラムに関する。
【背景技術】
【０００２】
１９９０年代後半或いは２０００年代頃から、放射線科での診断はフィルム画像からデジタル画像（ＤＩＣＯＭ画像）へ変わり、それとほぼ同時に、読影結果の記録もまた、紙を利用した記録から読影レポートシステムを利用した記録に変わっていった。この結果、早期に導入した施設では、既に１０年分以上のＤＩＣＯＭ画像とそれに対応する読影レポートとが蓄積されている。
【０００３】
読影レポートシステムに求められる機能としては、いかに効率良く読影し、読影レポートを記述するかという機能から、蓄積した読影レポートの素早い検索など二次利用のための機能にシフトしつつあることは、医療情報学会などでの発表や特許文献１より明らかである。
【先行技術文献】
【特許文献】
【０００４】
【特許文献１】特許第５７０２５５１号公報
【発明の概要】
【発明が解決しようとする課題】
【０００５】
読影医は、自己の研究や学会発表のために疾病の流行傾向や年齢分布などを把握する際、読影レポートシステムの全文検索機能を使用して、指定の検査日範囲，モダリティ，診断名（病名）などの条件で読影レポートを抽出し、抽出した読影レポートをＣＳＶ出力機能でＥＸＣＥＬ等の表計算ソフトに出力している。
【０００６】
ただし、この方法は煩雑な操作を必要とし、年に１回程度なら良いが、毎月の集計などの用途には不向きである。また、この方法で抽出できるのは検査単位（＝検査数）であるため、読影医が本当に求めている症例数（＝患者数）とは異なる。その他に、興味症例を集めて保存しておく機能も普及しているが、これだけでは読影医の要望に十分に対応できない。
【０００７】
それゆえに、この発明の主たる目的は、複数の患者の症例の簡便かつ俯瞰的な分析を可能にする、読影支援装置、読影支援方法および読影支援プログラムを提供することである。
【課題を解決するための手段】
【０００８】
この発明に従う読影支援装置(10：実施例で相当する参照符号。以下同じ)は、Ｋ個（Ｋ：整数）の病名を含む病名の病を各々が患った複数の患者を対象としかつＫ個の病名以外の病名を項目とする第１統計を複数の患者について作成された複数の読影レポートに基づいて表示する第１統計表示手段(S27)、第１統計表示手段によって表示された第１統計上の所望の項目が操作者によって選択されたとき複数の読影レポートのうち所望の項目の病名とＫ個の病名とが各々に記載された読影レポートのリストを表示するレポートリスト表示手段(S37~S41)、レポートリスト表示手段によって表示されたリスト上の所望の読影レポートが操作者によって選択されたとき所望の読影レポートに記載された病名のリストを表示する病名リスト表示手段(S45, S59)、および病名リスト表示手段によって表示されたリスト上の所望の病名が操作者によって選択されたとき所望の病名をＫ個の病名の１つに指定して第１統計表示手段を再起動する再起動手段(S61, S67, S69)を備える。
【０００９】
好ましくは、Ｋ個の病名を含む病名を項目とする第２統計を複数の読影レポートに基づいて表示する第２統計表示手段(S15~S17)、および第２統計表示手段によって表示された第２統計上の所望の項目が操作者によって選択されたときＫを第１の数値に設定して第１統計表示手段を起動する起動手段(S21, S25, S47, S63)がさらに備えられる。
【００１０】
或る局面では、再起動手段はＫが第１の数値を示すときＫを第１の数値よりも大きい第２の数値に更新する。また、再起動手段はＫが第２の数値を示すときＫ個の病名の組み合わせを更新する。
【００１１】
他の局面では、起動手段はレポートリスト表示手段の処理に関連して操作者の操作を受け付ける受け付け手段(S47, S63)を含む。
【００１２】
好ましくは、所望の読影レポートにおける読影医の記述を病名リスト表示手段の処理に関連して表示する記述表示手段(S51)、および記述表示手段によって表示された記述のうちＫ個の病名に関する記述を強調表示する強調表示手段(S53~S57)がさらに備えられる。
【００１３】
好ましくは、二重否定を含む肯定表現が続く病名を複数の読影レポートの各々における読影医の記述から検索する第１検索手段(S79)、否定表現と異なる表現が続く病名を第１検索手段の処理に劣後して複数の読影レポートの各々における読影医の記述から検索する第２検索手段(S81)、および第１検索手段および第２検索手段の各々によって検知された病名をＫ個の病名を含む病名の１つとして抽出する抽出手段(S83)がさらに備えられる。
【００１４】
好ましくは、第１統計はＫ個の病名以外の病名毎に集計した患者数の統計である。
【００１５】
この発明に従う読影支援方法は、読影支援装置(10)に設けられたプロセッサ(14)によって実行される読影支援方法であって、Ｋ個（Ｋ：整数）の病名を含む病名の病を各々が患った複数の患者を対象としかつＫ個の病名以外の病名を項目とする第１統計を複数の患者について作成された複数の読影レポートに基づいて表示する第１統計表示ステップ(S27)、第１統計表示ステップによって表示された第１統計上の所望の項目が操作者によって選択されたとき複数の読影レポートのうち所望の項目の病名とＫ個の病名とが各々に記載された読影レポートのリストを表示するレポートリスト表示ステップ(S37~S41)、レポートリスト表示ステップによって表示されたリスト上の所望の読影レポートが操作者によって選択されたとき所望の読影レポートに記載された病名のリストを表示する病名リスト表示ステップ(S45, S59)、および病名リスト表示ステップによって表示されたリスト上の所望の病名が操作者によって選択されたとき所望の病名をＫ個の病名の１つに指定して第１統計表示ステップを再起動する再起動ステップ(S61, S67, S69)を備える。
【００１６】
この発明に従う読影支援プログラムは、読影支援装置(10)に設けられたプロセッサ(14)に、Ｋ個（Ｋ：整数）の病名を含む病名の病を各々が患った複数の患者を対象としかつＫ個の病名以外の病名を項目とする第１統計を複数の患者について作成された複数の読影レポートに基づいて表示する第１統計表示ステップ(S27)、第１統計表示ステップによって表示された第１統計上の所望の項目が操作者によって選択されたとき複数の読影レポートのうち所望の項目の病名とＫ個の病名とが各々に記載された読影レポートのリストを表示するレポートリスト表示ステップ(S37~S41)、レポートリスト表示ステップによって表示されたリスト上の所望の読影レポートが操作者によって選択されたとき所望の読影レポートに記載された病名のリストを表示する病名リスト表示ステップ(S45, S59)、および病名リスト表示ステップによって表示されたリスト上の所望の病名が操作者によって選択されたとき所望の病名をＫ個の病名の１つに指定して第１統計表示ステップを再起動する再起動ステップ(S61, S67, S69)を実行させるための、読影支援プログラムである。
【発明の効果】
【００１７】
第１統計は、Ｋ個の病名を含む病名の病を各々が患った複数の患者を対象としかつＫ個の病名以外の病名を項目とする統計である。第１統計上の所望の項目の病名が選択され、これによって表示された読影レポートのリスト上の所望の読影レポートが選択され、さらに所望の読影レポートに記載された所望の病名が選択されると、所望の病名がＫ個の病名の１つに指定される。第１統計は、こうして更新されたＫ個の病名に基づいて作成されかつ表示される。これによって、複数の患者の症例の簡便かつ俯瞰的な分析が可能となる。
【００１８】
この発明の上述の目的，その他の目的，特徴および利点は、図面を参照して行う以下の実施例の詳細な説明から一層明らかとなろう。
【図面の簡単な説明】
【００１９】
【図１】この実施例に適用される読影レポートシステムの構成の一例を示すブロック図である。
【図２】この実施例の読影支援装置に設けられたＣＰＵの動作の一部を示すフロー図である。
【図３】この実施例の読影支援装置に設けられたＣＰＵの動作の他の一部を示すフロー図である。
【図４】この実施例の読影支援装置に設けられたＣＰＵの動作のその他の一部を示すフロー図である。
【図５】この実施例の読影支援装置に設けられたＣＰＵの動作のさらにその他の一部を示すフロー図である。
【図６】この実施例の読影支援装置に設けられたＣＰＵの動作の他の一部を示すフロー図である。
【図７】この実施例の読影支援装置に設けられたＣＰＵの動作のその他の一部を示すフロー図である。
【図８】この実施例の読影支援装置に設けられたディスプレイ装置に表示される画像の一例を示す図解図である。
【図９】この実施例の読影支援装置に設けられたディスプレイ装置に表示される画像の他の一例を示す図解図である。
【図１０】この実施例の読影支援装置に設けられたディスプレイ装置に表示される画像のその他の一例を示す図解図である。
【図１１】この実施例の読影支援装置に設けられたディスプレイ装置に表示される画像のさらにその他の一例を示す図解図である。
【図１２】この実施例の読影支援装置に設けられたディスプレイ装置に表示される画像の他の一例を示す図解図である。
【図１３】この実施例の読影支援装置に設けられたディスプレイ装置に表示される画像のその他の一例を示す図解図である。
【図１４】この実施例の読影支援装置に設けられたディスプレイ装置に表示される画像のさらにその他の一例を示す図解図である。
【図１５】この実施例の読影支援装置に設けられたディスプレイ装置に表示される画像の他の一例を示す図解図である。
【図１６】この実施例の読影支援装置に設けられたディスプレイ装置に表示される画像のその他の一例を示す図解図である。
【図１７】この実施例の読影支援装置に設けられたディスプレイ装置に表示される画像のさらにその他の一例を示す図解図である。
【図１８】この実施例の読影支援装置に設けられたディスプレイ装置に表示される画像の他の一例を示す図解図である。
【図１９】この実施例の読影支援装置に設けられたディスプレイ装置に表示される画像のその他の一例を示す図解図である。
【図２０】この実施例の読影支援装置に設けられたディスプレイ装置に表示される画像のさらにその他の一例を示す図解図である。
【図２１】この実施例の読影支援装置に設けられたディスプレイ装置に表示される画像の他の一例を示す図解図である。
【図２２】この実施例の読影支援装置に設けられたディスプレイ装置に表示される画像のその他の一例を示す図解図である。
【図２３】この実施例の読影支援装置に設けられたディスプレイ装置に表示される画像のさらにその他の一例を示す図解図である。
【発明を実施するための形態】
【００２０】
図１を参照して、この実施例の読影レポートシステムは、通信網４０を介して互いに接続された読影支援装置１０およびサーバＰＣ３０によって構成される。読影支援装置１０において、バスＢＳ１には、通信Ｉ／Ｆ１２，ＣＰＵ１４，キーボード１６，マウス１８，ディスプレイ装置２０，ＤＲＡＭ２２，および主記憶装置２４が接続される。キーボード１６およびマウス１８は、読影医によって操作される。また、サーバＰＣ３０には、多数の読影レポート（画像診断報告書）が保存された読影レポートＤＢ３２が設けられる。
【００２１】
各々の読影レポートには、検査日付，検査時刻，実施医師，患者氏名，患者年齢などの検査情報に加えて、読影医によって入力された所見，診断，コメントが記載され、さらに患部を表すサムネイル型の放射線画像ないし人体や患部を模したイラストであるシェーマなどの医用画像（以下、単に「サムネイル画像」と言う。）が貼り付けられる。
【００２２】
読影支援装置１０に設けられたＣＰＵ１４は、サーバＰＣ３０に保存された膨大な数の読影レポートを利用した俯瞰的な症例分析を支援するべく、図２〜図７に示すフロー図に従う読影支援処理を実行する。なお、このフロー図に対応する制御プログラムは、主記憶装置２４に保存される。
【００２３】
図２を参照して、ステップＳ１ではメイン画面の表示設定を初期化する。ステップＳ３では、図８に示すメイン画面の画像データをＤＲＡＭ２２に展開し、メイン画面の表示をディスプレイ装置２０に要求する。
【００２４】
図８によれば、メイン画面では、「通常検索」タブを有する通常検索画面，「患者検索」タブを有する患者検索画面，「詳細検索」タブを有する詳細検索画面，「履歴」タブを有する履歴画面，「バインダー」タブを有するバインダー画面，「メール」タブを有するメール画面，「診断別患者数」タブを有する診断別患者数画面が積層される。積層されたこれらの画面の下側には、所見欄ＲＰ１，診断欄ＤＰ１およびコメント欄ＣＰ１が設けられる。初期の表示設定では、通常検索画面が最上層に配される。この結果、メイン画面は図８に示す要領でディスプレイ装置２０に表示される。
【００２５】
図２に戻って、ステップＳ５では「診断別患者数」タブがマウス１８の操作によってクリックされたか否かを判別し、ステップＳ７では他のタブがマウス１８の操作によってクリックされたか否かを判別する。ステップＳ５の判別結果およびステップＳ７の判別結果のいずれもＮＯであればステップＳ５に戻り、ステップＳ５の判別結果がＹＥＳであればステップＳ９に進み、ステップＳ７の判別結果がＹＥＳであれば他の処理を実行する。
【００２６】
ステップＳ９では診断別患者数画面が最上層に配されるようにメイン画面の表示設定を変更し、ステップＳ１１では診断別患者数画面の表示設定を初期化する。図９を参照して、診断別患者数画面では、「ＣＴ」タブを有する統計リストシートと「ＭＲ」タブを有する統計リストシートとが画面左側に積層され、「検査年別」タブを有する統計グラフシートと「患者年代別」タブを有する統計グラフシートと「併発病名別」タブを有する統計グラフシートとが画面中央やや左側に表示される。また、レポートリスト欄ＲＬ１が画面右側に表示され、病名リスト欄ＤＬ１がレポートリスト欄ＲＬ１の下側に表示され、そして検査時期を指定するための複数のボタンが画面上側に表示される。
【００２７】
さらに、所期設定では、「ＣＴ」タブを有する統計リストシートと「検査年別」タブを有する統計グラフシートとが最上層に配され、検査時期（検査範囲の一部）として全期間が指定され、検査機器（検査範囲の他の一部）としてＣＴが指定される。この結果、図９に示す診断別患者数画面が通常検索画面に代えてディスプレイ装置２０に表示される（ただし、この時点では統計リストシートは白紙）。
【００２８】
ステップＳ１３では、通信Ｉ／Ｆ１２を介してサーバＰＣ３０にアクセスし、指定された検査範囲に属する複数の読影レポートを読影レポートＤＢ３２から取得する。取得された複数の読影レポートは、ＤＲＡＭ２２に格納される。
【００２９】
ステップＳ１５では、図６に示すサブルーチンに従って病名抽出処理を実行する。図６を参照して、ステップＳ７１では、変数ｍの初期値を“０”に設定し、変数ｍの終値を“取得した読影レポート数−１”に設定し、増分値を“１”に設定する。ステップＳ７３では、ｍ番目の読影レポートの診断欄から１または２以上の病名を特定する。ステップＳ７５では、変数ｎの初期値を“０”に設定し、変数ｎの終値を“特定した病名数−１”に設定し、増分値を“１”に設定する。ステップＳ７７では、ｎ番目の病名から行末（改行位置）または句読点出現位置までの文字列を、指定文字数を上限として取得する。
【００３０】
たとえば、ｎ番目の病名が“腫瘍”で、かつ「明らかな腫瘍は指摘できませんでした。」との記載がある場合、“腫瘍”の文字列がステップＳ７３で特定され、「は指摘できませんでした。」の文字列がステップＳ７７で取得される。
【００３１】
ステップＳ７９ではステップＳ７７で取得した文字列に肯定語が含まれるか否かを判別し、判別結果がＹＥＳであればステップＳ８３に進む一方、判別結果がＮＯであればステップＳ８１に進む。ステップＳ８１ではステップＳ７７で取得した文字列に否定語が含まれるか否かを判別し、判別結果がＮＯであればステップＳ８３に進む一方、判別結果がＹＥＳであればステップＳ８５に進む。
【００３２】
ステップＳ７９の処理は取得した文字列から肯定語を検索する処理に相当し、ステップＳ８１の処理は取得した文字列から否定語を検索する処理に相当する。いずれの処理においても、一致検索の他にＮ−ｇｒａｍ法による曖昧検索が採用される。また、ステップＳ８１の検索処理は、ステップＳ７９の検索処理に劣後して実行される。
【００３３】
さらに、ステップＳ７９で検索される肯定語としては、「矛盾しない」、「認められる」、「指摘できる」などの単純肯定の表現の他に、「否定しない」、「否定できない」などの二重否定の表現が含まれる。一方、ステップＳ８１で検索される否定語としては、「認めない」、「指摘できない」、「見られない」などの文字による単純否定の表現の他に、「（−）」などの記号による単純否定の表現が含まれる。
【００３４】
したがって、ステップＳ７７で取得した文字列が上述のような肯定語を含む場合または上述のような否定語を含まない場合、ｎ番目の病名に関する所見は異常所見または異常が疑われる所見とみなすことができる。逆に、ステップＳ７９で取得した文字列が上述のような肯定語を含まずかつ上述のような否定語を含む場合、ｎ番目の病名に関する所見は正常所見とみなすことができる。
【００３５】
なお、異常が疑われる所見の記載としては、たとえば「肺がんの所見と矛盾しません」、「肺がんを否定しません」などの記載が想定される。これに対して、正常所見の記載としては、「肺がんを認められません」、「明らかな腸重積症を疑う所見を指摘できません」、「膀胱内はｃｌｅａｒで出血疑う所見は見られない」などの記載が想定される。
【００３６】
ステップＳ８３では、ｎ番目の病名を異常所見または異常が疑われる所見として抽出し、抽出した病名に患者番号を付加する。ステップＳ８５では変数ｎをインクリメントし、その後にステップＳ７５に戻る。ステップＳ７５〜Ｓ８５の処理は、ｍ番目の読影レポートの診断欄から特定された全ての病名に対して実行される。ステップＳ８７では変数ｍをインクリメントし、その後にステップＳ７１に戻る。ステップＳ７１〜Ｓ８７の処理は、読影レポートＤＢ３２から取得した全ての読影レポートに対して実行される。全ての読影レポートに対する処理が完了すると、上階層のルーチンに復帰する。
【００３７】
図２に戻って、ステップＳ１７では、ステップＳ１５で抽出された病名を項目とする統計リストを作成し、作成された統計リストを最上層の統計リストシートに描画する。統計リストは、図９に示す要領でディスプレイ装置２０に表示される。図９によれば、統計リストの各項目には、病名とその病気を患った患者数とが表示される。患者数はステップＳ８３で付加された患者番号に基づいて測定され、病名は患者数が多い順に表示される。
【００３８】
図３に示すステップＳ１９では、検査範囲（検査時期，検査機器）を示す別のボタンまたはタブがマウス１８の操作によってクリックされたか否かを判別する。また、ステップＳ２１では、統計リスト上の所望の病名がマウス１８の操作によってクリックされたか否かを判別する。ステップＳ１９の判別結果およびステップＳ２１の判別結果のいずれもＮＯであれば、ステップＳ１９に戻る。ステップＳ１９の判別結果がＹＥＳであれば、ステップＳ２３で表示設定および検査範囲を変更してステップＳ１３に戻る。ステップＳ２１の判別結果がＹＥＳであればステップＳ２５に進む。
【００３９】
ステップＳ２５では、統計リスト上でクリックされた病名を基軸となる病名として指定する。たとえば、図９に示す統計リスト上で“肝嚢胞”がクリックされると、肝膿胞が基軸病名として指定される。基軸病名の指定が完了するとステップＳ２７に進み、図７に示すサブルーチンで表現されたグラフ描画処理を起動する。
【００４０】
図７を参照して、ステップＳ９１では基軸となる病名が１つであるか否かを判別し、判別結果がＹＥＳであればステップＳ９３に進む一方、判別結果がＮＯであればステップＳ９５に進む。
【００４１】
なお、後述するように、図５に示すステップＳ６７では２つの病名が基軸病名として指定される。したがって、ステップＳ９１の判別結果は、ステップＳ６７の処理を経てステップＳ２９に戻った場合にＮＯを示す。また、病名数である“２”は整数Ｋの一例であり、この実施例において、Ｋの値は、ステップＳ２５で“１”に設定される一方、ステップＳ６７で“２”に設定される。
【００４２】
ステップＳ９３では、指定された１つの病名が異常所見または異常が疑われる所見として記載された読影レポートが、ステップＳ１３で取得された読影レポートの中から特定される。また、ステップＳ９５では、指定された２つの病名が異常所見または異常が疑われる所見として記載された読影レポートが、ステップＳ１３で取得された読影レポートの中から特定される。
【００４３】
ステップＳ９７およびＳ９９では、現時点で選択されている統計種別を判別する。現時点の統計種別が“検査年別”であれば、ステップＳ９７からステップＳ１０１に進み、検査年を項目とする統計グラフを作成する。現時点の統計種別が“患者年代別”であれば、ステップＳ９９からステップＳ１０３に進み、患者年代を項目とする統計グラフを作成する。現時点の統計種別が“併発病名別”であれば、ステップＳ９９からステップＳ１０５に進み、併発病名を項目とする統計グラフを作成する。
【００４４】
詳しくは、ステップＳ１０１で作成される統計グラフは、基軸病名の病気を患った患者を対象として検査年毎に集計した男女別の患者数統計を表す。また、ステップＳ１０３で作成される統計グラフは、基軸病名の病気を患った患者を対象として患者年代毎に集計した男女別の患者数統計を表す。さらに、ステップＳ１０５で作成される統計グラフは、基軸病名の病気を患った患者を対象として基軸病名以外の病名毎に集計した男女別の患者数統計を表す。なお、病名毎の統計グラフでは、男女計の患者数が多い順に病名が列挙される。
【００４５】
ステップＳ１０１，Ｓ１０３またはＳ１０５の処理が完了するとステップＳ１０７に進み、作成した統計グラフを最上層のグラフシートに描画する。ステップＳ１０７の処理が完了すると、上階層のルーチンに復帰する。
【００４６】
したがって、「検査年別」タブを有する統計グラフシートが最上層に配された状態で“肝嚢胞”が基軸病名として指定された場合、統計グラフは図１０に示す要領で描画されかつディスプレイ装置２０に表示される。また、「患者年代別」タブを有する統計グラフシートが最上層に配された状態で“肝嚢胞”が基軸病名として指定された場合、統計グラフは図１１に示す要領で描画されかつディスプレイ装置２０に表示される。さらに、「併発病名別」タブを有する統計グラフシートが最上層に配された状態で“肝嚢胞”が基軸病名として指定された場合、統計グラフは図１２に示す要領で描画されかつディスプレイ装置２０に表示される。
【００４７】
図３に戻って、ステップＳ２９では統計リスト上の別の病名がマウス１８の操作によってクリックされたか否かを判別し、ステップＳ３１では別の統計種別のタブがマウス１８の操作によってクリックされたか否かを判別し、ステップＳ３７では統計グラフ上の所望の項目がマウス１８の操作によってクリックされたか否かを判別する。ステップＳ２９の判別結果，ステップＳ３１の判別結果およびステップＳ３７の判別結果のいずれもがＮＯであれば、ステップＳ２９に戻る。
【００４８】
ステップＳ２９の判別結果がＹＥＳであれば、ステップＳ２５で基軸病名を指定し直してからステップＳ２７のグラフ描画処理を実行する。ステップＳ２７では、クリックされた病名の病気を患った患者を対象として統計グラフが作成・更新される。
【００４９】
ステップＳ３１の判別結果がＹＥＳであればステップＳ３３およびＳ３５で以下の処理を実行してからステップＳ２７に戻る。ステップＳ３３では、統計種別を変更する。ステップＳ３５では、変更された統計種別に対応するグラフシートが最上層に配されるように表示設定を変更する。ステップＳ２７では、変更後の統計種別毎に集計した男女別の患者数統計を表すように統計グラフが作成・更新される。
【００５０】
ステップＳ３７の判別結果がＹＥＳであればステップＳ３９に進み、統計リスト上の所望の病名と統計グラフ上の所望の項目とに合致する読影レポートをステップＳ１３で取得した読影レポートの中から検出する。
【００５１】
現時点で選択されている統計種別が“検査年別”であれば、所望の病名が異常所見または異常が疑われる所見として診断欄に記載され、クリックされた年を含む日付が検査日付として記載された読影レポートが検出される。
【００５２】
現時点で選択されている統計種別が“患者年代別”であれば、所望の病名が異常所見または異常が疑われる所見として診断欄に記載され、クリックされた年代に属する年齢が患者年齢として記載された読影レポートが検出される。
【００５３】
現時点で選択されている統計種別が“併発病名別”であれば、所望の病名とクリックされた併発病名とが異常所見または異常が疑われる所見として診断欄に記載された読影レポートが検出される。
【００５４】
ステップＳ４１では、ステップＳ３９で検出された読影レポートのリストをレポートリスト欄ＲＬ１に表示する。図１２に示す統計グラフ上で“動脈硬化”がクリックされると、読影レポートは図１３に示す要領でレポートリスト欄ＲＬ１に表示される（ただし、この時点では、いずれの読影レポートもマークアップされておらず、所見欄ＲＰ１，診断欄ＤＰ１，コメント欄ＣＰ１は空欄）。
【００５５】
ステップＳ４３では統計グラフ上の所望の項目がクリックされたか否かを判別し、ステップＳ４５ではレポートリスト欄ＲＬ１の所望の読影レポートがクリックされたか否かを判別し、ステップＳ４７では統計リスト上の所望の病名がクリックされたか否かを判別する。ステップＳ４３の判別結果，ステップＳ４５の判別結果およびステップＳ４７の判別結果のいずれもがＮＯであれば、ステップＳ４３に戻る。
【００５６】
ステップＳ４３の判別結果がＹＥＳであれば、ステップＳ３９に戻る。この結果、レポートリスト欄ＲＬ１の表示が更新される。ステップＳ４７の判別結果がＹＥＳであれば、ステップＳ４９でグラフシートおよびレポートリスト欄ＲＬ１の各々の表示を初期化つまりクリアし、その後にステップＳ２５に戻る。この結果、統計リスト上でクリックされた病名が基軸病名として指定され、図７に示すグラフ描画処理が再起動される。再起動されたグラフ描画処理では、改めて指定された基軸病名の病気を患った患者を対象として統計グラフが作成・描画される。
【００５７】
ステップＳ４５の判別結果がＹＥＳであれば、ステップＳ５１に進む。ステップＳ５１では、クリックされた読影レポートをレポートリスト欄ＲＬ１でマークアップし、クリックされた読影レポートに記述された所見，診断およびコメントを所見欄ＲＰ１，診断欄ＤＰ１およびコメント欄ＣＰ１に表示する。この結果、読影レポートは図１３に示す要領でマークアップされ、所見，診断およびコメントの表示は、同じ図１３に示す要領で表示される。
【００５８】
ステップＳ５３では、統計リスト上でクリックされた病名と同じ病名を診断欄ＤＰ１から検出し、検出された病名にハイライト処理（強調処理）を施す。ステップＳ５５では現時点で選択されている統計種別が“併発病名別”であるか否かを判別し、判別結果がＮＯであればそのままステップＳ５９に進む一方、判別結果がＹＥＳであればステップＳ５７で以下の処理を実行してからステップＳ５９に進む。
【００５９】
つまり、ステップＳ５７では、統計グラフ上でクリックされた項目に相当しかつ異常所見または異常が疑われる所見をなす病名を診断欄ＤＰ１から検出し、検出された病名にハイライト処理（強調処理）を施す。
【００６０】
図１３によれば、“肝嚢胞”が統計リスト上でクリックされ、“動脈硬化”が統計グラフ上でクリックされている。このため、“肝嚢胞”および“動脈硬化”の病名が診断欄ＤＰ１においてハイライト表示される。
【００６１】
ステップＳ５９では、異常所見または異常が疑われる所見として記載された他の併発病名を診断欄ＤＰ１から検出し、検出された併発病名を病名リスト欄ＤＬ１に表示する。図１３によれば、“胸水”，“胸水貯留”，“胸椎棘突起骨折”，“腫瘍”，“腎腫瘍”の病名が病名リスト欄ＤＬ１に表示される。
【００６２】
ステップＳ６１では病名リスト欄ＤＬ１の所望の併発病名がマウス１８の操作によってクリックされたか否かを判別し、ステップＳ６３では統計リスト上の所望の病名がマウス１８の操作によってクリックされたか否かを判別する。ステップＳ６１の判別結果およびステップＳ６３の判別結果のいずれもがＮＯであれば、ステップＳ６１に戻る。
【００６３】
ステップＳ６３の判別結果がＹＥＳであれば、ステップＳ６５でグラフシートおよびレポートリスト欄ＲＬ１の表示を初期化つまりクリアし、その後にステップＳ２５に戻る。この結果、統計リスト上でクリックされた病名が基軸病名として指定され、図７に示すグラフ描画処理が再起動される。再起動されたグラフ描画処理では、改めて指定された基軸病名の病気を患った患者を対象として統計グラフが作成・描画される。
【００６４】
ステップＳ６１の判別結果がＹＥＳであれば、ステップＳ６７で基軸となる２つの病名を指定する。具体的には、統計リスト上でクリックされた病名と病名リスト欄ＤＬ１でクリックされた併発病名とを基軸病名として指定する。２回目以降のステップＳ６７で病名リスト欄ＤＬ１から指定される併発病名は、直前のクリック操作によって選択された併発病名である。こうして２つの病名が指定されると、ステップＳ６９で統計リスト以外の表示を初期化し、ステップＳ２７のグラフ描画処理を再起動する。この結果、指定された２つの病名が併発している患者を対象として統計グラフが作成・描画される。
【００６５】
したがって、図１３に示す病名リスト欄ＤＬ１で“胸水”がクリックされると、診断別患者数画面の表示は、図１４に遷移する。図１４によれば、所見欄ＲＰ１，診断欄ＤＰ１，コメント欄ＣＰ１，レポートリスト欄ＲＬ１，病名リスト欄ＤＬ１が空欄とされ、“肝嚢胞”および“胸水”を基軸病名とする統計グラフが最上層のグラフシートに描画される。
【００６６】
その後に統計グラフ上で“腎結石”がクリックされると、ステップＳ３９およびＳ４１の処理が実行され、“肝嚢胞”および“腎結石”を併発している患者の読影レポートのリストがレポートリスト欄ＲＬ１に表示される。さらに、レポートリスト欄ＲＬ１上の所望の読影レポートがクリックされると、ステップＳ５１〜Ｓ５９の処理が実行される。これによって、診断別患者数画面の表示は、図１４から図１５に遷移する。
【００６７】
図１５によれば、クリックされた読影レポートがマークアップされ、当該読影レポートの所見，診断およびコメントが所見欄ＲＰ１，診断欄ＤＰ１およびコメント欄ＣＰ１に表示され、診断欄ＤＰ１に表示された“胸水”，“肝嚢胞”および“腎結石”の病名がハイライトされ、診断欄ＤＰ１に異常所見または異常が疑われる所見として記載された他の併発病名つまり“リンパ節腫”，“リンパ節腫大”，“肺門リンパ節”の病名が病名リスト欄“ＤＬ１”に表示される。
【００６８】
図１５に示す病名リスト欄ＤＬ１で“リンパ節腫”がクリックされると、診断別患者数画面の表示は、図１６に遷移する。図１６によれば、所見欄ＲＰ１，診断欄ＤＰ１，コメント欄ＣＰ１，レポートリスト欄ＲＬ１，病名リスト欄ＤＬ１が空欄とされ、“肝嚢胞”および“リンパ節腫”を基軸病名とする統計グラフが最上層のグラフシートに描画される。
【００６９】
描画された統計グラフ上で“動脈硬化”がクリックされると、ステップＳ３９およびＳ４１の処理が実行され、“肝嚢胞”，“リンパ節腫”および“動脈硬化”を併発している患者の読影レポートのリストがレポートリスト欄ＲＬ１に表示される。さらに、レポートリスト欄ＲＬ１上の所望の読影レポートがクリックされると、ステップＳ５１〜Ｓ５９の処理が実行される。これによって、診断別患者数画面の表示は、図１６から図１７に遷移する。
【００７０】
図１７によれば、クリックされた読影レポートがマークアップされ、当該読影レポートの所見，診断およびコメントが所見欄ＲＰ１，診断欄ＤＰ１およびコメント欄ＣＰ１に表示され、診断欄ＤＰ１に表示された“肝嚢胞”，“リンパ節腫”および“動脈硬化”の病名がハイライトされ、診断欄ＤＰ１に異常所見または異常が疑われる所見として記載された他の併発病名つまり“リンパ節腫大”，“肝腫”，“肝腫瘍”，“腫瘍”，“縦隔リンパ節”などの病名が病名リスト欄“ＤＬ１”に表示される。
【００７１】
また、“検査年別”タブを有するグラフシートが最上層に配された状態で、統計リスト上で“肝嚢胞”がクリックされると、“肝嚢胞”がステップＳ２５で基軸病名として指定される。ステップＳ２７では、“肝嚢胞”が併発している患者を対象として作成された統計グラフが作成され、作成された統計グラフが“検査年別”タブを有するグラフシートに図１８に示す要領で表示される。
【００７２】
続いて、“２００７年”の男性が統計グラフ上でクリックされると、ステップＳ３９およびＳ４１の処理が実行される。この結果、“肝嚢胞”を患った患者のうち２００３年に検査を受けた男性の患者の読影レポートのリストがレポートリスト欄ＲＬ１に表示される。さらに、レポートリスト欄ＲＬ１上の所望の読影レポートがクリックされると、ステップＳ５１，Ｓ５３およびＳ５９の処理が実行される。これによって、診断別患者数画面の表示は、図１８から図１９に遷移する。
【００７３】
図１９によれば、クリックされた読影レポートがマークアップされ、当該読影レポートの所見，診断およびコメントが所見欄ＲＰ１，診断欄ＤＰ１およびコメント欄ＣＰ１に表示され、診断欄ＤＰ１に表示された“肝嚢胞”の病名がハイライトされ、診断欄ＤＰ１に異常所見または異常が疑われる所見として記載された他の併発病名つまり“胃粘膜下腫瘍”，“腫瘍”，“腎腫瘍”，“腎嚢胞”などの病名が病名リスト欄“ＤＬ１”に表示される。
【００７４】
図１９に示す病名リスト欄ＤＬ１で“腎腫瘍”がクリックされると、診断別患者数画面の表示は、図２０に遷移する。図２０によれば、所見欄ＲＰ１，診断欄ＤＰ１，コメント欄ＣＰ１，レポートリスト欄ＲＬ１，病名リスト欄ＤＬ１が空欄とされ、“肝嚢胞”および“腎腫瘍”を基軸病名とする統計グラフが最上層のグラフシートに描画される。
【００７５】
また、“患者年代別”タブを有するグラフシートが最上層に配された状態で、統計リスト上で“肝嚢胞”がクリックされると、“肝嚢胞”がステップＳ２５で基軸病名として指定される。ステップＳ２７では、“肝嚢胞”が併発している患者を対象として作成された統計グラフが作成され、作成された統計グラフが“患者年代別”タブを有するグラフシートに図２１に示す要領で表示される。
【００７６】
続いて、“７０歳代”の男性が統計グラフ上でクリックされると、ステップＳ３９およびＳ４１の処理が実行される。この結果、“肝嚢胞”を患った患者のうち７０歳代の男性の患者の読影レポートのリストがレポートリスト欄ＲＬ１に表示される。さらに、レポートリスト欄ＲＬ１上の所望の読影レポートがクリックされると、ステップＳ５１，Ｓ５３およびＳ５９の処理が実行される。これによって、診断別患者数画面の表示は、図２１から図２２に遷移する。
【００７７】
図２２によれば、クリックされた読影レポートがマークアップされ、当該読影レポートの所見，診断およびコメントが所見欄ＲＰ１，診断欄ＤＰ１およびコメント欄ＣＰ１に表示され、診断欄ＤＰ１に表示された“肝嚢胞”の病名がハイライトされ、診断欄ＤＰ１に異常所見または異常が疑われる所見として記載された他の併発病名つまり“腫瘤”，“腎嚢胞”，“胆泥”，“動脈硬化”の病名が病名リスト欄“ＤＬ１”に表示される。
【００７８】
図２２に示す病名リスト欄ＤＬ１で“動脈硬化”がクリックされると、診断別患者数画面の表示は、図２３に遷移する。図２３によれば、所見欄ＲＰ１，診断欄ＤＰ１，コメント欄ＣＰ１，レポートリスト欄ＲＬ１，病名リスト欄ＤＬ１が空欄とされ、“肝嚢胞”および“動脈硬化”を基軸病名とする統計グラフが最上層のグラフシートに描画される。
【００７９】
以上の説明から分かるように、ＣＰＵ１４は、Ｋ個（Ｋ：整数）の病名を含む病名の病を各々が患った複数の患者を対象としかつＫ個の病名以外の病名を項目とする統計グラフを、複数の患者について作成された複数の読影レポートに基づいて表示する(S27)。表示された統計グラフ上の所望の項目がマウス１８の操作によって選択されると、ＣＰＵ１４は、複数の読影レポートのうち所望の項目の病名とＫ個の病名とが各々に記載された読影レポートのリストをレポートリスト欄ＲＬ１に表示する(S37~S41)。また、レポートリスト欄ＲＬ１の所望の読影レポートがマウス１８の操作によって選択されると、ＣＰＵ１４は、所望の読影レポートに記載された病名のリストを病名リスト欄ＤＬ１に表示する(S45, S59)。さらに、病名リスト欄ＤＬ１の所望の病名がマウス１８の操作によって選択されると、ＣＰＵ１４は、所望の病名をＫ個の病名の１つに指定して上述の統計グラフ表示処理を再起動する(S61, S67, S69)。これによって、複数の患者の症例の簡便かつ俯瞰的な分析が可能となる。
【符号の説明】
【００８０】
１０  …診断支援装置
１４  …ＣＰＵ
１８  …マウス
２０  …ディスプレイ装置
２４  …主記憶装置
３０  …サーバＰＣ
４０  …通信ネットワーク
【図１】
0006529840.tif 000002
【図２】
0006529840.tif 000003
【図３】
0006529840.tif 000004
【図４】
0006529840.tif 000005
【図５】
0006529840.tif 000006
【図６】
0006529840.tif 000007
【図７】
0006529840.tif 000008
【図８】
0006529840.tif 000009
【図９】
0006529840.tif 000010
【図１０】
0006529840.tif 000011
【図１１】
0006529840.tif 000012
【図１２】
0006529840.tif 000013
【図１３】
0006529840.tif 000014
【図１４】
0006529840.tif 000015
【図１５】
0006529840.tif 000016
【図１６】
0006529840.tif 000017
【図１７】
0006529840.tif 000018
【図１８】
0006529840.tif 000019
【図１９】
0006529840.tif 000020
【図２０】
0006529840.tif 000021
【図２１】
0006529840.tif 000022
【図２２】
0006529840.tif 000023
【図２３】
0006529840.tif 000024